【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
モバイル機器であって、該モバイル機器は、正面カメラ、正面スクリーン、少なくとも１つのプロセッサー、メモリ、実行可能命令を実行するように構成されたオペレーティングシステム、および、携帯型物体認証プロセスにおいて３Ｄ物体の２Ｄ表現を用いた３Ｄ物体のスプーフィングを検出するためのアプリケーションを実行するための少なくとも１つのプロセッサーにより実施可能な命令を含むコンピュータープログラムを備えており、前記アプリケーションは、
ａ）
ｉ）前記正面スクリーンにより第１の認証パターンを表示する間に、前記正面カメラにより前記３Ｄ物体の第１の画像データをキャプチャし、
ｉｉ）前記第１の認証パターンの表示後、前記正面スクリーンにより第２の認証パターンを表示する間に、前記正面カメラにより前記３Ｄ物体の第２の画像データをキャプチャする、
ソフトウェアモジュールであって、
ここで、前記第１の認証パターンは複数の第１の認証パターン領域を含み、前記複数の第１の認証パターン領域の少なくとも１つは、経時的に輝度、位置、サイズ、形状、および色のうち少なくとも１つにおいて他の第１の認証パターン領域とは異なり、これにより、照明効果の第１の分散が引き起こされ、ここで、前記第１の画像データは、経時的に前記３Ｄ物体上のハイライトとシャドーの第１のセットを含み、
ここで、前記第２の認証パターンは前記第１の認証パターンとは異なり、前記第２の認証パターンは複数の第２の認証パターン領域を含み、ここで、前記複数の第２の認証パターン領域の少なくとも１つは、輝度、位置、サイズ、形状、および色のうち少なくとも１つにおいて他の第２の認証パターン領域とは異なり、これにより、照明効果の第２の分散が引き起こされ、ここで、前記第２の画像データは、経時的に前記３Ｄ物体上のハイライトとシャドーの第２のセットを含む、
ソフトウェアモジュール、
ｂ）前記３Ｄ物体の現在の空間的特徴を判定するために、前記ハイライトとシャドーの第１のセットと前記ハイライトとシャドーの第２のセットとの間の差を計算するソフトウェアモジュール、および
ｃ）前記２Ｄ表現を用いた前記３Ｄ物体のスプーフィングが、前記携帯型認証プロセスにおいて試みられるかどうかを、前記３Ｄ物体の現在の空間的特徴と前記３Ｄ物体の記憶された基準の空間的特徴との比較により判定するソフトウェアモジュール
を含む、モバイル機器。
【請求項２】
前記３Ｄ物体は、顔、手のひら（掌紋）、指（指紋）、または耳を含む、請求項１に記載のモバイル機器。
【請求項３】
前記２Ｄ表現は前記３Ｄ物体の写真を含む、請求項１に記載のモバイル機器。
【請求項４】
前記第１の画像データおよび前記第２の画像データの少なくとも１つは、前記３Ｄ物体の複数の写真、前記３Ｄ物体の映像、またはその両方を含む、請求項１に記載のモバイル機器。
【請求項５】
前記第１の認証パターンおよび前記第２の認証パターンの少なくとも１つは、複数の画像、映像、またはその両方を含む、請求項１に記載のモバイル機器。
【請求項６】
前記複数の第１の認証パターン領域および前記複数の第２の認証パターン領域の少なくとも１つは、２つ以上の垂直または水平な帯域において配置される、請求項１に記載のモバイル機器。
【請求項７】
前記第１の認証パターン領域および前記第２の認証パターン領域の少なくとも１つ内の変動は、前記第１の認証パターンまたは前記第２の認証パターンにおいて正パルスまたはランダムパルスをもたらす、請求項１に記載のモバイル機器。
【請求項８】
前記第１の認証パターン領域および前記第２の認証パターン領域の少なくとも１つ内の変動は、前記第１の認証パターンまたは前記第２の認証パターンにおける前記第１の認証パターン領域または前記第２の認証パターン領域の並進運動または回転をもたらすか、前記第１の認証パターンまたは前記第２の認証パターンにおける前記第１の認証パターン領域または前記第２の認証パターン領域の縮小または拡大をもたらすか、あるいはその両方をもたらす、請求項１に記載のモバイル機器。
【請求項９】
前記アプリケーションはさらに、前記３Ｄ物体を認証するためのリクエストを受信するソフトウェアモジュールと、前記第１の画像データ、前記第２の画像データ、またはその両方のキャプチャ中に物体に対して固定された位置において、前記モバイル機器の前記正面カメラを配向するようにユーザーに命じるソフトウェアモジュールと、を含む、請求項１に記載のモバイル機器。
【請求項１０】
前記第１の認証パターン領域および前記第２の認証パターン領域の少なくとも１つ内の変動は、前記第１の認証パターンまたは前記第２の認証パターンにおける情報をコードする、請求項１に記載のモバイル機器。
【請求項１１】
携帯型物体認証プロセスにおいて、３Ｄ物体の２Ｄ表現を用いた３Ｄ物体のスプーフィングを検出するためのシステムであって、該システムは、正面カメラ、正面スクリーン、少なくとも１つのプロセッサー、メモリを備えたモバイル機器と、少なくとも１つのプロセッサーおよびメモリを備えたサーバーと、を含んでおり、
前記モバイル機器は、
ａ）
ｉ）前記正面スクリーンにより、複数の第１の認証パターン領域を含む第１の認証パターンを表示する間に、前記正面カメラにより前記３Ｄ物体の第１の画像データをキャプチャし、
ｉｉ）前記第１の認証パターンの表示後、前記正面スクリーンにより第２の認証パターンを表示する間に、前記正面カメラにより前記３Ｄ物体の第２の画像データをキャプチャすることであって、
ここで、前記複数の第１の認証パターン領域の少なくとも１つは、経時的に輝度、位置、サイズ、形状、および色のうち少なくとも１つにおいて他の第１の認証パターン領域とは異なり、これにより、照明効果の第１の分散が引き起こされ、ここで、前記第１の画像データは、経時的に前記３Ｄ物体上のハイライトとシャドーの第１のセットを含み、
ここで、前記第２の認証パターンは前記第１の認証パターンとは異なり、前記第２の認証パターンは、複数の第２の認証パターン領域を含み、ここで、前記複数の第２の認証パターン領域の少なくとも１つは、輝度、位置、サイズ、形状、および色のうち少なくとも１つにおいて他の第２の認証パターン領域とは異なり、これにより、照明効果の第２の分散が引き起こされ、ここで、前記第２の画像データは、経時的に前記３Ｄ物体上のハイライトとシャドーの第２のセットを含む、こと、ならびに、
ｂ）前記第１の画像データおよび前記第２の画像データを前記サーバーに送信すること、
を行うように構成され、
前記サーバーは、
ａ）前記モバイル機器から前記第１の画像データおよび前記第２の画像データを受信すること、
ｂ）前記３Ｄ物体の現在の空間的特徴を判定するために、前記ハイライトとシャドーの第１のセットと前記ハイライトとシャドーの第２のセットとの間の差を計算すること、
ｃ）前記３Ｄ物体の２Ｄ表現を用いた前記３Ｄ物体のスプーフィングが、前記携帯型認証プロセスにおいて試みられるかどうかを、前記３Ｄ物体の現在の空間的特徴と前記３Ｄ物体の記憶された基準の空間的特徴との比較により判定すること、および
ｄ）スプーフィング結果を前記モバイル機器に送信すること、
を行うように構成される、システム。
【請求項１２】
前記３Ｄ物体は、顔、手のひら（掌紋）、指（指紋）、または耳を含む、請求項１１に記載のシステム。
【請求項１３】
前記２Ｄ表現は前記３Ｄ物体の写真を含む、請求項１１に記載のシステム。
【請求項１４】
前記第１の画像データおよび前記第２の画像データの少なくとも１つは、前記３Ｄ物体の複数の写真、前記３Ｄ物体の映像、またはその両方を含む、請求項１１に記載のシステム。
【請求項１５】
前記第１の認証パターンおよび前記第２の認証パターンの少なくとも１つは、複数の画像、映像、またはその両方を含む、請求項１１に記載のシステム。
【請求項１６】
前記複数の第１の認証パターン領域および前記複数の第２の認証パターン領域の少なくとも１つは、２つ以上の垂直または水平な帯域において配置される、請求項１１に記載のシステム。
【請求項１７】
前記第１の認証パターン領域および前記第２の認証パターン領域の少なくとも１つ内の変動は、前記第１の認証パターンまたは前記第２の認証パターンにおいて正パルスまたはランダムパルスをもたらす、請求項１１に記載のシステム。
【請求項１８】
前記第１の認証パターン領域および前記第２の認証パターン領域の少なくとも１つ内の変動は、前記第１の認証パターンまたは前記第２の認証パターンにおける前記第１の認証パターン領域または前記第２の認証パターン領域の並進運動または回転をもたらすか、前記第１の認証パターンまたは前記第２の認証パターンにおける前記第１の認証パターン領域または前記第２の認証パターン領域の縮小または拡大をもたらすか、あるいはその両方をもたらす、請求項１１に記載のシステム。
【請求項１９】
前記アプリケーションはさらに、前記３Ｄ物体を認証するためのリクエストを受信するソフトウェアモジュールと、前記第１の画像データ、前記第２の画像データ、またはその両方のキャプチャ中に物体に対して固定された位置において、前記モバイル機器の前記正面カメラを配向するようにユーザーに命じるソフトウェアモジュールと、を含む、請求項１１に記載のシステム。
【請求項２０】
前記第１の認証パターン領域および前記第２の認証パターン領域の少なくとも１つ内の変動は、前記第１の認証パターンまたは前記第２の認証パターンにおける情報をコードする、請求項１１に記載のシステム。
【請求項２１】
携帯型物体認証プロセスにおいて、３Ｄ物体の２Ｄ表現を用いた３Ｄ物体のスプーフィングを検出する方法であって、該方法は、
ａ）
ｉ）モバイル機器の正面スクリーンにより第１の認証パターンを表示する間に、前記モバイル機器の正面カメラにより前記３Ｄ物体の第１の画像データをキャプチャし、
ｉｉ）前記第１の認証パターンの表示後、前記正面スクリーンにより第２の認証パターンを表示する間に、前記正面カメラにより前記３Ｄ物体の第２の画像データをキャプチャする工程であって、
ここで、前記第１の認証パターンは複数の第１の認証パターン領域を含み、前記複数の第１の認証パターン領域の少なくとも１つは、経時的に輝度、位置、サイズ、形状、および色のうち少なくとも１つにおいて他の第１の認証パターン領域とは異なり、これにより、照明効果の第１の分散が引き起こされ、ここで、前記第１の画像データは、経時的に前記３Ｄ物体上のハイライトとシャドーの第１のセットを含み、
ここで、前記第２の認証パターンは前記第１の認証パターンとは異なり、前記第２の認証パターンは、複数の第２の認証パターン領域を含み、ここで、前記複数の第２の認証パターン領域の少なくとも１つは、輝度、位置、サイズ、形状、および色のうち少なくとも１つにおいて他の第２の認証パターン領域とは異なり、これにより、照明効果の第２の分散が引き起こされ、ここで、前記第２の画像データは、経時的に前記３Ｄ物体上のハイライトとシャドーの第２のセットを含む、工程、
ｂ）前記３Ｄ物体の現在の空間的特徴を判定するために、前記ハイライトとシャドーの第１のセットと前記ハイライトとシャドーの第２のセットとの間の差を計算する工程、および
ｃ）前記２Ｄ表現を用いた前記３Ｄ物体のスプーフィングが、前記携帯型認証プロセスにおいて試みられるかどうかを、前記３Ｄ物体の現在の空間的特徴と前記３Ｄ物体の記憶された基準の空間的特徴との比較により判定する工程
を含む、方法。